(57)【要約】【課題】故障診断機能付きデジタルカメラにおいて、故障診断をより正確にかつ容易に行う。【解決手段】濃度チャート２１０を撮像しＡ/Ｄ変換して前工程モニタ用出力部２３２を通して得られた画像信号Ｇｄ１が示す濃度チャート２１０の診断用の濃度値Ｗ１と、予め求められた濃度チャート２１０の参照用の濃度値Ｗ２とを比較して撮影の前工程ＰＦにおける故障を診断する。撮影の後工程を実行する後処理部１０２に基準信号導入部２３４を通して基準信号Ｓｋを入力する。この基準信号Ｓｋの入力に応じて後処理部１０２から後工程モニタ用出力部２３６を通して出力される測定信号Ｓｍと、予め求められた、正しく動作している後処理部１０２への基準信号Ｓｋの入力に応じてこの後処理部１０２から出力される参照信号Ｓｈとを比較して、後工程ＰＢにおける故障を診断する。こうして、前工程ＰＦおよび後工程ＰＢに生じた故障を個別に特定する。【選択図】図１
2009118304.tif 000002
【特許請求の範囲】
【請求項１】
デジタルカメラの故障を診断する故障診断方法であって、
所定の照明がなされた濃度チャートを前記デジタルカメラで撮像しＡ/Ｄ変換して得られた画像信号が示す前記濃度チャートの診断用の濃度値と、予め求められた前記濃度チャートの参照用の濃度値とを比較して前記撮像からＡ/Ｄ変換までの前記デジタルカメラによる撮影の前工程における故障を診断するとともに、
前記Ａ/Ｄ変換された画像信号が入力される、前記前工程につづく前記撮影の後工程を実行する後処理手段に対し前記画像信号の代わりに予め定められた基準信号を入力せしめ、該基準信号の入力に応じて前記後処理手段から出力される測定信号と、予め求められた、正しく動作している前記後処理手段への前記基準信号の入力に応じて該後処理手段から出力される参照信号とを比較して前記後工程における故障を診断し、
前記前工程に生じた故障および後工程に生じた故障それぞれを個別に特定することを特徴とする故障診断方法。
【請求項２】
被写体を撮像しＡ/Ｄ変換して得られた画像信号を出力する前記撮像からＡ/Ｄ変換までの撮影の前工程を実行する前処理手段と、
前記前処理手段から出力された画像信号が入力される、前記前工程につづく前記撮影の後工程を実行する後処理手段とを備えた故障診断機能付きデジタルカメラであって、
故障診断に用いる濃度チャートと、
前記濃度チャートを故障診断用の所定位置へ移送する濃度チャート移送手段と、
前記前処理手段から出力される画像信号をモニタするための、該画像信号を通して出力する前工程モニタ用出力手段と、
前記後処理手段に対し前記画像信号の代わりに予め定められた基準信号を入力せしめるための、該基準信号を通す基準信号導入手段と、
前記後処理手段から出力される信号をモニタするための、該信号を通して出力する後工程モニタ用出力手段とを備えたことを特徴とする故障診断機能付きデジタルカメラ。
【請求項３】
前記基準信号を記憶する基準信号記憶手段を備えたことを特徴とする請求項２記載の故障診断機能付きデジタルカメラ。
【請求項４】
前記濃度チャート移送手段により所定位置へ移送され所定の照明がなされた前記濃度チャートを前記前処理手段により撮像しＡ/Ｄ変換して前記前工程モニタ用出力手段を通して得た画像信号の示す前記濃度チャートの診断用の濃度値と、予め求められた前記濃度チャートの参照用の濃度値とを比較して前記前工程における故障の有無を判定する前工程故障判定手段を備えたことを特徴とする請求項２または３記載の故障診断機能付きデジタルカメラ。
【請求項５】
前記参照用の濃度値を記憶する参照濃度値記憶手段を備えたことを特徴とする請求項４記載の故障診断機能付きデジタルカメラ。
【請求項６】
前記後処理手段への前記基準信号の入力に応じて該後処理手段から出力され前記後工程モニタ用出力手段を通して出力された測定信号と、予め求められた、正しく動作している前記後処理手段への前記基準信号の入力に応じて該後処理手段から出力される参照信号とを比較して前記後工程における故障の有無を判定する後工程故障判定手段を備えたことを特徴とする請求項２から５のいずれか１項記載の故障診断機能付きデジタルカメラ。
【請求項７】
前記参照信号を記憶する参照信号記憶手段を備えたことを特徴とする請求項６記載の故障診断機能付きデジタルカメラ。
【発明の詳細な説明】
【技術分野】
【０００１】
本発明は故障診断方法および故障診断機能付きデジタルカメラに関し、詳しくは、故障箇所を個別に特定することができる故障診断方法および故障診断機能付きデジタルカメラに関するものである。
【背景技術】
【０００２】
従来より、自身の故障を診断するための機能を備えたデジタルカメラが知られている。このようなデジタルカメラとしては、撮像素子の受光する光量を増加および減少させる受光光量変更手段を備え、この受光光量変更手段による撮像素子の受光光量の増減に応じてこの撮像素子で撮像され表示された画像の輝度が変化するか否かを検査して、このカメラの故障を診断するものが知られている（特許文献１参照）。
【特許文献１】特開２００５−７３２９６号公報
【発明の開示】
【発明が解決しようとする課題】
【０００３】
ところで、デジタルカメラの故障診断を行うにあたり、単に故障の有無を判定するだけではなく、デジタルカメラの故障箇所をも特定したいという要請がある。
【０００４】
しかしながら、故障箇所を特定するにはデジタルカメラを分解して各部位の故障の状態を調べる必要があり、故障診断の作業が複雑になり作業者の負荷が大きくなるという問題がある。
【０００５】
本発明は、上記事情に鑑みてなされたものであり、デジタルカメラの故障診断を、より正確にかつ容易に行うことができる故障診断方法および故障診断機能付きデジタルカメラを提供することを目的とするものである。
【課題を解決するための手段】
【０００６】
本発明の故障診断方法は、デジタルカメラの故障を診断する故障診断方法であって、所定の照明がなされた濃度チャートをデジタルカメラで撮像しＡ/Ｄ変換して得られた画像信号が示す濃度チャートの診断用の濃度値と、予め求められた濃度チャートの参照用の濃度値とを比較して撮像からＡ/Ｄ変換までのデジタルカメラによる撮影の前工程における故障を診断するとともに、Ａ/Ｄ変換された画像信号が入力される、前工程につづく撮影の後工程を実行する後処理手段に対し前記画像信号の代わりに予め定められた基準信号を入力せしめ、この基準信号の入力に応じて後処理手段から出力される測定信号と、予め求められた、正しく動作している後処理手段への基準信号の入力に応じてこの後処理手段から出力される参照信号とを比較して後工程における故障を診断し、前工程に生じた故障および後工程に生じた故障それぞれを個別に特定することを特徴とするものである。
【０００７】
本発明の故障診断機能付きデジタルカメラは、被写体を撮像しＡ/Ｄ変換して得られた画像信号を出力する撮像からＡ/Ｄ変換までの撮影の前工程を実行する前処理手段と、前処理手段から出力された画像信号が入力される、前工程につづく撮影の後工程を実行する後処理手段とを備えた故障診断機能付きデジタルカメラであって、故障診断に用いる濃度チャートと、濃度チャートを故障診断用の所定位置へ移送する濃度チャート移送手段と、前記前処理手段から出力される画像信号をモニタするための、この画像信号を通して出力する前工程モニタ用出力手段と、後処理手段に対し、前記画像信号の代わりに予め定められた基準信号を入力せしめるための、この基準信号を通す基準信号導入手段と、後処理手段から出力される信号をモニタするための、この信号を通して出力する後工程モニタ用出力手段とを備えたことを特徴とするものである。
【０００８】
前記故障診断機能付きデジタルカメラは、基準信号を記憶する基準信号記憶手段を備えたものとすることが望ましい。
【０００９】
前記故障診断機能付きデジタルカメラは、濃度チャート移送手段により所定位置へ移送され所定の照明がなされた濃度チャートを前処理手段により撮像してＡ/Ｄ変換し前工程モニタ用出力手段を通して得た画像信号の示す前記濃度チャートの診断用の濃度値と、予め求められた濃度チャートの参照用の濃度値とを比較して前工程における故障の有無を判定する前工程故障判定手段を備えたものとすることができる。さらに、この故障診断機能付きデジタルカメラは、参照用の濃度値を記憶する参照濃度値記憶手段を備えたものとすることもできる。
【００１０】
前記故障診断機能付きデジタルカメラは、後処理手段への基準信号の入力に応じてこの後処理手段から出力され後工程モニタ用出力手段を通して出力された測定信号と、予め求められた、正しく動作している後処理手段への基準信号の入力に応じてこの後処理手段から出力される参照信号とを比較して後工程における故障の有無を判定する後工程故障判定手段を備えたものとすることができる。さらに、この故障診断機能付きデジタルカメラは、参照信号を記憶する参照信号記憶手段を備えたものとすることもできる。
【発明の効果】
【００１１】
本発明の故障診断方法は、所定の照明がなされた濃度チャートをデジタルカメラで撮像しＡ/Ｄ変換して得られた画像信号が示す濃度チャートの診断用の濃度値と、予め求められた濃度チャートの参照用の濃度値とを比較して撮像からＡ/Ｄ変換までのデジタルカメラによる撮影の前工程における故障を診断するとともに、Ａ/Ｄ変換された画像信号が入力される、前工程につづく撮影の後工程を実行する後処理手段に対し画像信号の代わりに予め定められた基準信号を入力せしめ、この基準信号の入力に応じて後処理手段から出力される測定信号と、予め求められた、正しく動作している後処理手段への上記基準信号の入力に応じてこの後処理手段から出力された参照信号とを比較して後工程における故障を診断するようにしたので、前工程に生じた故障および後工程に生じた故障それぞれを個別に特定することができるので、より正確にかつ容易にデジタルカメラの故障診断を行うことができる。
【００１２】
すなわち、従来のようにデジタルカメラを分解することなく、すなわち故障診断の作業を複雑にしたり作業者の負荷を増大させることなく、故障の生じた部位を特定することができるので、より正確にかつ容易にデジタルカメラの故障診断を行うことができる。
【００１３】
本発明の故障診断機能付きデジタルカメラは、故障診断に用いる濃度チャートと、濃度チャートを故障診断用の所定位置へ移送する濃度チャート移送手段と、前処理手段から出力される画像信号をモニタするための、この画像信号を通して出力する前工程モニタ用出力手段と、後処理手段に対し、前記画像信号の代わりに予め定められた基準信号を入力せしめるための、この基準信号を通す基準信号導入手段と、後処理手段から出力される信号をモニタするための、この後処理手段から出力される信号を通して出力する後工程モニタ用出力手段とを備えるようにしたので、上記故障診断方法の場合と同様に、デジタルカメラを分解することなく、前工程に生じた故障、後工程に生じた故障それぞれを個別に正確に特定することができ、正確かつ容易にデジタルカメラの故障診断を行うことができる。
【００１４】
また、濃度チャート移送手段により所定位置へ移送され所定の照明がなされた濃度チャートを前処理手段により撮像しＡ/Ｄ変換して前工程モニタ用出力手段を通して得られた画像信号の示す濃度チャートの診断用の濃度値と、予め求められた濃度チャートの参照用の濃度値とを比較して前工程における故障の有無を判定する前工程故障判定手段を備えれば、故障診断をより確実に実施することができる。
【００１５】
また前記基準信号導入手段による後処理手段への基準信号の入力に応じてこの後処理手段から出力され後工程モニタ用出力手段を通して出力された測定信号と、予め求められた、正しく動作している後処理手段への基準信号の入力に応じてこの後処理手段から出力された参照信号とを比較して後工程における故障の有無を判定する後工程故障判定手段を備えれば、故障診断をより確実に実施することができる。
【００１６】
さらに、基準信号を記憶する基準信号記憶手段、参照用の濃度値を記憶する参照濃度値記憶手段、あるいは参照信号を記憶する参照信号記憶手段を備えれば、故障診断をより容易に実施することができる。
【発明を実施するための最良の形態】
【００１７】
以下、本発明の実施の形態について、図面を用いて説明する。図１は本発明の故障診断方法を実施する故障診断機能付きデジタルカメラの概略構成を示すブロック図、図２は濃度チャートが配された回転円板を示す図である。
【００１８】
図示の故障診断機能付きデジタルカメラ１００は、被写体を撮像しＡ/Ｄ変換して得られた画像信号を出力する、撮像からＡ/Ｄ変換までの撮影の前工程ＰＦを実行する前処理部１０１と、前処理部１０１から出力された画像信号Ｇｄが入力される、前工程ＰＦにつづくその撮影の後工程ＰＢを実行する後処理部１０２とを備えている。
【００１９】
前処理部１０１は、デジタルカメラ１００が備えるレンズ１０および絞り部２０をこの順に通して結像させた被写体の像を撮像する撮像素子であるカラー（ＲＧＢ）画像撮像用のＣＣＤ素子３２と、ＣＣＤ素子３２で取得された被写体を表す信号電荷Ｇｃからアナログ信号Ｇａを生成するアナログ信号取得部３４と、アナログ信号取得部３４から出力されたアナログ信号Ｇａをデジタル信号Ｇｄに変換して出力するＡ／Ｄ変換素子３６とを備えている。
【００２０】
なお、絞り部２０は、開口部２２、光を減衰させるＮＤフィルタ２４、および後述する濃度チャート２１０が円周上に等間隔で配された回転円板２６と、この回転円板２６を回転させて上記フィルタやチャートを所定位置へ移送する回転移送部２２０とを有している。上記開口部２２、ＮＤフィルタ２４、および濃度チャート２１０それぞれは、回転移送部２２０による回転円板２６の回転により、レンズ１０とＣＣＤ素子３２との間における被写体をＣＣＤ素子３２へ結像させる光路中に挿入され、ＣＣＤ素子３２へ通す光の光量を変化させる。
【００２１】
なお、回転移送部２２０は、濃度チャート移送部に対応するものである。
【００２２】
デジタルカメラ１００により通常の撮影を行う場合には、開口部２２、あるいはＮＤフィルタ２４が、レンズ１０を通して被写体をＣＣＤ素子３２へ結像させる光路中の所定位置へ配置される。一方、デジタルカメラ１００により故障診断を行う場合には、濃度チャート２１０が上記所定位置へ配置される。
【００２３】
ここで、所定位置へ配置された濃度チャート２１０とＣＣＤ素子３２とは隣接配置され、両者の間隔は約０．１ｍｍとなる。すなわち、ＮＤフィルタ２４は回転円板２６のレンズ側に配置され、濃度チャート２１０は回転円板２６のＣＣＤ素子３２側に配置されている。
【００２４】
図２に示すように、この濃度チャート２１０は、３種類の互いに異なる濃度を有する領域２１０Ａ，２１０Ｂ、２１０Ｃから形成されたものである。各領域２１０Ａ，２１０Ｂ、２１０Ｃは、レンズ１０の側から所定の照明がなされたときに、ＣＣＤ素子３２の側から３種類の互いに異なる濃度を有する領域として観察される。
【００２５】
後処理部１０２は、ホワイトバランスゲインを変更するためのＷＢゲイン変更部５２と、ＷＢゲイン変更部５２からの出力をγ変換するγ変換部５４と、γ変換部５４からの出力をＹ/Ｃ分離するＹ/Ｃ分離部５６と、Ｙ/Ｃ分離部５６からの出力をＪＰＥＧ変換するＪ変換部５８とを備え、この後処理部１０２に入力された信号はこの順に処理される。Ａ／Ｄ変換素子３６から出力されＷＢゲイン変更部５２へ入力されたデジタル信号Ｇｄは、上記各処理が施されてＪ変換部５８からカラー（ＲＧＢ）画像を表す画像データＧＧｄとして出力される。
【００２６】
この故障診断機能付きデジタルカメラ１００（以後、省略してデジタルカメラ１００ともいう）は、前処理部１０１から出力される画像信号である上記デジタル信号Ｇｄをモニタするための、このデジタル信号Ｇｄを通して出力する前工程モニタ用出力部２３２を有している。また、後処理部１０２に対し、Ａ／Ｄ変換素子３６から出力されるデジタル信号Ｇｄの代わりに予め定められた基準信号Ｓｋを入力せしめるための、この基準信号Ｓｋを通す基準信号導入部２３４を有している。さらに、後処理部１０２から出力される信号をモニタするための、この信号を通して出力する後工程モニタ用出力部２３６を有している。
【００２７】
また、デジタルカメラ１００は、基準信号Ｓｋを記憶する基準信号記憶部２４２、後述する、参照濃度値Ｗ２を記憶する参照濃度値記憶部２４４および参照信号Ｓｈを記憶する参照信号記憶部２４６を備えている。
【００２８】
ここで、デジタルカメラ１００の備える前工程故障判定部２５２は、濃度チャート移送部２２０により所定位置へ移送され上記のように所定の照明がなされた濃度チャート２１０を前処理部１０１により撮像しＡ/Ｄ変換して前工程モニタ用出力部２３２を通しＡ/Ｄ変換直後の画像信号Ｇｄ１を得る。そして、この画像信号Ｇｄ１が示す濃度チャート２１０の診断用の濃度値である測定濃度値Ｗ１と、予め求められた濃度チャート２１０の参照濃度値Ｗ２とを比較して前工程１０１における故障の有無を判定する。
【００２９】
すなわち、この前工程故障判定部２５２は、測定濃度値Ｗ１と参照濃度値Ｗ２との差分値ＷＳを求めこの差分値ＷＳを所定値ＷＨと比較して前工程１０１における故障の有無を判定し、その結果を前工程故障表示部２９２へ出力する。
【００３０】
さらに、デジタルカメラ１００の備える後工程故障判定部２５４は、基準信号導入部２３４による後処理部１０２への基準信号Ｓｋの入力に応じて後処理部１０２から出力され後工程モニタ用出力部２３６を通して出力された測定信号Ｓｍを得る。そして、この測定信号Ｓｍと、予め求められた、正しく動作している後処理部１０２への基準信号Ｓｋの入力に応じて後処理部１０２から出力される参照信号Ｓｈとを比較して後工程における故障の有無を判定する。
【００３１】
すなわち、この後工程故障判定部２５４は、測定信号Ｓｍの値Ｖ１と参照信号Ｓｈの値Ｖ２との差分値ＶＳを求めこの差分値ＶＳを所定値ＶＨと比較して、後工程１０２における故障の有無を判定し、その結果を後工程故障表示部２９４へ出力する。
【００３２】
なお、デジタルカメラ１００は、このデジタルカメラ１００の各部を制御したり各部の動作の同期を取るためのコントローラ３００を備えている。
【００３３】
次に、上記デジタルカメラ１００により故障診断を行う作用について説明する。
【００３４】
はじめに、デジタルカメラ１００のレンズ１０を、規定の明るさに照明された輝度箱４００に挿入する。
【００３５】
次に、コントローラ３００へ故障診断を行う指示が入力される。故障診断を行う指示が入力されたコントローラ３００は、シャッタスピード、濃度チャート２１０の位置、ＷＢゲイン変更部５２におけるホワイトバランスゲイン（省略して、ＷＢゲインともいう）、アナログ信号取得部３４におけるアナログゲイン等を故障診断用に設定し以下のように各部の動作や各部の動作のタイミングを制御する。
【００３６】
回転移送部２２０による回転円板２６の回転により濃度チャート２１０を上記故障診断を行うための所定位置に配置する。これにより、濃度チャート２１０に対して予め定められた所定の照明がなされ、濃度チャート２１０中の領域２１０Ａ，２１０Ｂ、２１０Ｃは、ＣＣＤ素子３２の側から３種類の互いに異なる濃度を有する領域として観察される状態となる。
【００３７】
所定の照明がなされた濃度チャート２１０がＣＣＤ素子３２に近接配置された状態で、このＣＣＤ素子３２による撮像を実行する。ＣＣＤ素子３２で取得された信号電荷は、アナログ信号取得部３４およびＡ／Ｄ変換素子３６を通してデジタル信号Ｇｄに変換されて前工程モニタ用出力部２３２を通して出力される。
【００３８】
前工程モニタ用出力部２３２を通して出力されたＡ/Ｄ変換直後の画像信号Ｇｄは前工程故障判定部２５２に入力され、前工程故障判定部２５２が、画像信号Ｇｄの示す濃度チャート２１０中の領域２１０Ａ，２１０Ｂ、２１０Ｃそれぞれに対応する測定濃度値Ｗ１（Ｗ１ａ、Ｗ１ｂ、Ｗ１ｃ）と、予め求められた濃度チャート２１０の参照濃度値Ｗ２（Ｗ２ａ、Ｗ２ｂ、Ｗ２ｃ）とを比較して前工程１０１における故障の有無を判定する。
【００３９】
すなわち、この前工程故障判定部２５２は、測定濃度値Ｗ１（Ｗ１ａ、Ｗ１ｂ、Ｗ１ｃ）と参照濃度値記憶部２４４に記憶された参照濃度値Ｗ２（Ｗ２ａ、Ｗ２ｂ、Ｗ２ｃ）との差の絶対値である差分値ＷＳ（｜Ｗ１ａ−Ｗ２ａ｜、｜Ｗ１ｂ-Ｗ２ｂ｜、｜Ｗ１ｃ−Ｗ２ｃ｜）を求める。そして、差分値ＷＳそれぞれを、この前工程故障判定部２５２に予め記憶された所定の閾値ＷＨと比較して前工程１０１における故障の有無を判定し、その結果を前工程故障表示部２９２へ出力する。前工程故障表示部２９２は上記故障の有無の判定結果を表示する。
【００４０】
ここで、前工程故障判定部２５２は、差分値ＷＳを構成する上記３つの差分値のいずれかが閾値ＷＨよりも大きいときに故障有りと判定し、いずれもが閾値ＷＨ以下のときに故障無しと判定する。なお、前工程故障判定部２５２による処理は、赤色、緑色、青色（Ｒ，Ｇ、Ｂ）の各色を表す各デジタル信号毎に実施される。
【００４１】
なお、測定濃度値Ｗ１ａは、複数のデジタル信号、例えば１０００×３５０の各画素を表すデジタル信号によって表される領域２１０Ａの濃度の平均値であり、測定濃度値Ｗ１ｂも、複数のデジタル信号によって表される領域２１０Ｂの濃度の平均値であり、測定濃度値Ｗ１ｃも、同様に、複数のデジタル信号によって表される領域２１０Ｃの濃度の平均値である。
【００４２】
また、閾値ＷＨは、予め前工程故障判定部２５２に記憶されている。
【００４３】
つづいて、基準信号記憶部２４２に記憶された１０００行×１０００列からなる故障診断用の基準画像を表す基準信号Ｓｋが後処理部１０２へ入力される。後処理部１０２へ入力された基準信号Ｓｋは、ＷＢゲイン変更部５２、γ変換部５４、Ｙ/Ｃ分離部５６、Ｊ変換部５８によりこの順に処理されて後処理部１０から後工程モニタ用出力部２３６を通して出力される。この後工程モニタ用出力部２３６を通して出力された故障診断用の出力画像を表す測定信号Ｓｍは、後工程故障判定部２５４へ入力される。
【００４４】
後工程故障判定部２５４は、入力された測定信号Ｓｍと、参照信号記憶部２４６に記憶された故障診断用の参照画像を表す参照信号Ｓｈとを比較して後工程における故障を診断する。そして、その診断結果を後工程故障表示部２９４へ出力する。後工程故障表示部２９４は上記故障の有無の判定結果を表示する。
【００４５】
ここで、後工程故障判定部２５４は、１０００行×１０００列からなる画像を表す測定信号Ｓｍを構成する各値Ｖ１（１、１）、Ｖ１（１、２）〜Ｖ１（１０００、１０００）と、１０００行×１０００列からなる画像を表す参照信号Ｓｈを構成する値Ｖ２（１、１）、Ｖ２（１、２）〜Ｖ２（１０００、１０００）との差分値（｜Ｖ１（１、１）−Ｖ２（１、１）｜、｜Ｖ１（１、２）−Ｖ２（１、２）｜、・・・｜Ｖ１（１０００、１０００）−Ｖ２（１０００、１０００）｜）を求める。これらの差分値のいずれかが閾値ＶＨよりも大きいときに故障有りと判定し、いずれもが閾値ＶＨ以下のときに故障無しと判定する。
【００４６】
なお、後工程故障判定部２５４による処理は、赤色、緑色、青色（Ｒ，Ｇ、Ｂ）の各色を表すデジタル信号毎に実施される。
【００４７】
また、閾値ＶＨは、後工程故障判定部２５４に予め記憶されているものである。
【００４８】
上記前工程故障表示部２９２および後工程故障表示部２９４による故障の有無の判定結果の表示により、前処理部１０１により実行される前工程ＰＦに生じた故障と後処理部１０２により実施される後工程ＰＢに生じた故障それぞれを個別に特定することができる。
【００４９】
本発明の故障診断機能付きデジタルカメラは、故障診断を行うための多くの機能を内臓したものであるが、このような場合に限らず、前工程を診断するための前工程故障判定部２５２、参照濃度値記憶部２４４、前工程故障表示部２９２、および後工程を診断するための基準信号記憶部２４２、後工程故障判定部２５４、参照信号記憶部２４６、後工程故障表示部２９４のうちの一部あるいは全部を外部に備えるようにしてもよい。
【００５０】
＜障診断機能付きデジタルカメラの変形例＞
以下、故障診断を行うための機能の一部を外部に持たせてなる故障診断機能付きデジタルカメラについて説明する。図３は、故障診断を行うための機能の一部を外部に持たせるようにした故障診断機能付きデジタルカメラの変形例を示す図である。なお、上記デジタルカメラ１００の場合と同様の構成要素には同一の符号を付し、重複する説明については省略する。
【００５１】
この変形例のデジタルカメラ１００′は、故障診断を行うための、濃度チャート２１０、回転移送部２２０、前工程モニタ用出力部２３２、基準信号導入部２３４および後工程モニタ用出力部２３６を内臓しているが、その他の故障診断を行うための構成要素はパソコン５００およびサーバ６００が備えている。このデジタルカメラ１００′は、説明済のデジタルカメラ１００とは内臓している構成要素が違うが、パソコン５００およびサーバ６００を含む全体としての機能は、このデジタルカメラ１００と全く同じである。
【００５２】
デジタルカメラ１００′とパソコン５００とは前工程モニタ用出力部２３２、基準信号導入部２３４および後工程モニタ用出力部２３６を介してＵＳＢ、あるいはＩＥＥＥ１３９４の規格による通信を行う、また、パソコン５００とサーバ６００とは公衆回線を利用したネットワークで通信可能となっている。
【００５３】
パソコン５００とサーバ６００にはデジタルカメラ１００′の故障診断を行うための種々の構成要素を振り分けることができるが、ここでは、パソコン５００が前工程故障判定部２５２、前工程故障表示部２９２、後工程故障判定部２５４、および後工程故障表示部２９４を備え、サーバ６００が参照濃度値記憶部２４４、基準信号記憶部２４２、および参照信号記憶部２４６を備えているものとする。
【００５４】
このようにデジタルカメラ１００′の故障診断を行うための各要素を振り分けた状態でこのデジタルカメラ１００′の故障診断を行う場合について、図４から図７のフローチャートを用いて説明する。図４は工場出荷時に参照濃度値Ｗ２を取得し記録する工程を示すフローチャート、図５は工場出荷時に参照信号Ｓｈを取得し記録する工程を示すフローチャート、図６はデジタルカメラの前工程を診断する工程を示すフローチャート、図７はデジタルカメラの後工程を診断する工程を示すフローチャートである。
【００５５】
はじめに、図４のフローチャートに示すように、デジタルカメラ１００′の工場出荷時に、輝度箱４００を規定値に設定するとともにＣＣＤ素子３２の感度やシャッタスピードも規定値に設定する。
【００５６】
その後、回転円板２６を回転させて濃度チャート２１０を所定位置に配置してＣＣＤ素子３２による撮像を実行する。
【００５７】
ＣＣＤ素子３２で撮像されＡ／Ｄ変換素子３６から前工程モニタ用出力部２３２を通して出力された画像信号Ｇｄ１が工場の測定装置７００で測定される。測定された画像信号Ｇｄ１の示す濃度値が規定の参照濃度値Ｗ２になるように、アナログ信号取得部３４のアナログゲインの値を調節する。
【００５８】
工場の測定装置７００からサーバ６００へ上記調節されたアナログゲインの値Ａｇおよび参照濃度値Ｗ２が転送されサーバ６００に記録される。
【００５９】
これとともに、図５のフローチャートに示すように、デジタルカメラ１００′の工場出荷時に、ＷＢゲイン変更部５２によりホワイトバランスゲインを設定する。その後、工場の測定装置７００から後処理部１０２へ基準信号Ｓｋを基準信号導入部２３４を通して入力する。
【００６０】
基準信号Ｓｋが後処理部１０２で処理されこの後処理部１０２から出力された参照信号Ｓｈは、後工程モニタ用出力部２３６を通して工場の装置へ入力される。この参照信号ＳｈはＪＰＥＧ画像とこの画像のシリアルＮｏを含むものである。
【００６１】
つづいて、工場の装置からサーバ６００へ上記設定されたホワイトバランスゲインの値Ｂｇ、基準信号Ｓｋ、および参照信号Ｓｈが転送され、サーバ６００に記録される。
【００６２】
次に、デジタルカメラ１００′は、工場から出荷され市場へ供給される。
【００６３】
以下市場に供給されたデジタルカメラ１００′の故障診断について説明する。
【００６４】
なお、この故障診断は、例えばデジタルカメラのサービスステーションで行なわれるので、この故障診断では上記工場の測定装置７００は用いられない。
【００６５】
はじめに、デジタルカメラ１００′に対してパソコン５００が接続される。このパソコン５００は公衆回線を介してサーバ６００に接続されている。
【００６６】
次に、図６のフローチャートに示すように、デジタルカメラ１００′およびパソコン５００を故障診断可能な診断モードＯＮ状態とし、前工程の診断を行う。
【００６７】
コントローラ３００の命令により、ＣＣＤ素子３２の感度やシャッタスピードが規定値に設定される。また、サーバ６００に記録された工場出荷時のアナログゲインの値Ａｇがパソコン５００を通してコントローラ３００に入力され、コントローラ３００がアナログ信号取得部３４のアナログゲインの値を上記値Ａｇとなるように調節する。
【００６８】
輝度箱４００を規定値に設定し、レンズ２０を輝度箱４００に挿入する。
【００６９】
その後、回転円板２６を回転させて濃度チャート２１０を所定位置に配置してＣＣＤ素子３２による撮像を実行する。
【００７０】
ＣＣＤ素子３２で撮像されＡ／Ｄ変換素子３６から前工程モニタ用出力部２３２を通して出力された画像信号Ｇｄ１がパソコン５００に入力される。
【００７１】
パソコン５００に備えられた前工程故障判定部２５２は、この画像信号Ｇｄ１が示す濃度チャート２１０の診断用の濃度値を求め、この求められた測定濃度値Ｗ１と、サーバ６００に記録された工場出荷時の参照濃度値Ｗ２との差分値を得、この差分値ＷＳと閾値ＷＨとを比較して前工程１０１における故障の有無を判定する。
【００７２】
前工程１０１における故障が有る場合には、前工程故障表示部２９２が上記故障の有ることを表示する。
【００７３】
前工程１０１における故障が無い場合には、故障診断に係るデータがパソコン５００を経由してサーバに記録される。
【００７４】
つづいて、図７のフローチャートに示すように、デジタルカメラ１００′およびパソコン５００を故障診断可能な診断モードＯＮ状態とした状態で、後工程の診断を行う。
【００７５】
サーバ６００に記録された工場出荷時のホワイトバランスゲインの値Ｂｇが、パソコン５００を経由してコントローラ３００へ入力され、デジタルカメラ１００′のＷＢゲイン変更部５２によりホワイトバランスゲインの値が値Ｂｇとなるように設定される。
【００７６】
その後、サーバ６００に記録された工場出荷時の基準信号Ｓｋが、パソコン５００および基準信号導入部２３４を経由して後処理部１０２へ入力される。
【００７７】
基準信号Ｓｋが入力された処理部１０２において処理され出力された測定信号Ｓｍは、後工程モニタ用出力部２３６を通してパソコン５００へ入力される。この測定信号ＳｍはＪＰＥＧ画像とこの画像のシリアルＮｏを含むものである。
【００７８】
パソコン５００に備えられた後工程故障判定部２５４は、サーバ６００に記録された工場出荷時の参照信号Ｓｈを入力し、この参照信号Ｓｈと測定信号Ｓｍとの差分値を得、この差分値ＶＳと閾値ＶＨとを比較して後工程１０２における故障の有無を判定する。
【００７９】
後工程１０２における故障が有る場合には、後工程故障表示部２９４が上記故障の有ることを表示する。
【００８０】
後工程１０２における故障が無い場合には、故障診断に係るデータがパソコン５００を経由してサーバに記録される。
【００８１】
上記のように、本発明の故障診断方法を実施する故障診断機能付きデジタルカメラによれば、故障診断をより正確にかつ容易に行うことができる。
【００８２】
なお、本発明の故障診断機能付きデジタルカメラは、上記実施の形態や変形例のように構成されたものに限らず、前工程故障判定部２５２、参照濃度値記憶部２４４、前工程故障表示部２９２、基準信号記憶部２４２、後工程故障判定部２５４、参照信号記憶部２４６、および後工程故障表示部２９４のうちの一部を内臓したものとしてもよい。
【００８３】
このように、本発明の故障診断機能付きデジタルカメラは、上記７つの構成要素を備えていないものとしてもよいし、７つの構成要素のうちのいずれか１つ以上を備えたものとしてもよい。このように、故障診断を行うためのデジタルカメラの備える構成要素と外部装置の備える構成要素との振り分けを変更しても、そのデジタルカメラにおける故障診断の手法は同じであり、上述の効果を同様に得ることができる。
【図面の簡単な説明】
【００８４】
【図１】本発明の故障診断方法を実施する故障診断機能付きデジタルカメラの概略構成を示すブロック図
【図２】濃度チャートが配された回転円板を示す図
【図３】故障診断機能付きデジタルカメラの変形例を示す図
【図４】工場出荷時に参照濃度値を取得し記録する工程を示すフローチャート
【図５】工場出荷時に参照信号を取得し記録する工程を示すフローチャート
【図６】デジタルカメラの前工程の診断工程を示すフローチャート
【図７】デジタルカメラの後工程の診断工程を示すフローチャート
【符号の説明】
【００８５】
１０    レンズ
２０    絞り部
２２    開口部
２４    ＮＤフィルタ
２６    回転円板
３２    ＣＣＤ素子
３４    アナログ信号取得部
３６    Ａ／Ｄ変換素子
１００    デジタルカメラ
１０１    前処理部
１０２    後処理部
２１０    濃度チャート
２２０    回転移送部
２３２    前工程モニタ用出力部
２３４    基準信号導入部
２３６    後工程モニタ用出力部
【図１】
2009118304.tif 000003
【図２】
2009118304.tif 000004
【図３】
2009118304.tif 000005
【図４】
2009118304.tif 000006
【図５】
2009118304.tif 000007
【図６】
2009118304.tif 000008
【図７】
2009118304.tif 000009